(57)【特許請求の範囲】
【請求項１】
インクジェット記録装置に使用される液体収納容器であって、前記液体収納容器の液室に繋がり容器内外を接続する接続口と、
該接続口を塞ぐ弾性部材と、
前記弾性部材を収納するハウジングと、
該ハウジング内に組み付けられた前記弾性部材を押圧し固定する固定部材と、
を有し、筒状部材を前記弾性部材を通して前記接続口に挿入することで容器内外が連通する液体収納容器において、
前記ハウジング内に組み付ける前の前記弾性部材は、前記筒状部材が挿入される側の面が凸形状、この逆側の面が凹形状、且つほぼ厚み一定のドーム形状であり、該ドーム形状部の前記凹形状側に突き出た柱状部を有する単一部品であり、さらに、前記筒状部材の進入側端から進入方向に向かう切れ込みを有し、該切れ込みが、前記柱状部内に収まっており、
前記固定部材を用いて前記ハウジング内に組み付け固定された前記弾性部材は、前記ドーム形状部および前記柱状部が、前記筒状部材の挿入方向に対して、前記記ドーム形状部、前記柱状部の順番に並んでおり、かつ、前記柱状部が前記接続口内に位置し、
前記ドーム形状部は、前記ドーム形状部の前記凸形状側が前記固定部材によって押圧されることで前記ハウジングの側壁により前記弾性部材の中心方向へ圧縮されており、前記筒状部材が挿入された時、その圧縮力が高まる圧縮領域になっており、
前記柱状部は、前記筒状部材が挿入されていない状態では、前記接続口の側壁で圧縮されておらず、前記筒状部材が挿入されて始めて前記接続口の側壁により圧縮される実質的な非圧縮領域となっており、
前記筒状部材が挿入される方向において、前記筒状部材を挿入しない状態での、前記非圧縮領域よりも前記圧縮領域の方が長いことを特徴とする液体収納容器。
【請求項２】
前記弾性部材の前記筒状部材の挿入側に、すり鉢形状を設けたことを特徴とする請求項１に記載の液体収納容器。
【請求項３】
前記弾性部材の前記切れ込みが、前記弾性部材を貫通していないことを特徴とする、請求項１に記載の液体収納容器。
【請求項４】
前記固定部材に液滴を吸収するための吸収体が取り付けられるとともに、前記固定部材には前記接続口を中心とする放射状の溝が設けられ、該放射状の溝のうち少なくとも一つが前記弾性部材の前記切れ込みの方向に沿って設けられていることを特徴とした請求項１に記載の液体収納容器。
【発明の詳細な説明】
【０００１】
【発明が属する技術分野】
本発明は、交換型の液体収納容器、該液体収納容器の内外を接続する接続口を塞ぐ弾性部材、および前記液体収納容器を備えたインクジェット記録装置にする。
【０００２】
【従来の技術】
従来の交換型液体収納容器の従来例１として、特開平５−１６２３３３号公報に開示されている形態のインクジェット記録装置用インクタンクが知られている。また、特開平５−１６２３３３号公報に開示している図面を、従来例１として説明するため図４４、４５、４６に示す。
【０００３】
従来例１は、図４４〜４６に示すように、上筐体６２Ａの凹部８１ａと下筐体６２Ｂの固定部材８２部分によってインク導出部材７２を押圧固定する構成になっている。
【０００４】
なお、従来例１でのインク導出部材７２は、他の従来例および実施例では、よりその性質を表す表記として弾性部材を使用する。従来例１のみ、上記公報の開示文書内の表記に合わせてインク導出部材７２と表記する。
【０００５】
図４４は従来例１で使用するインク導出部材７２の斜視図であり、記録手段の本体側のインク導出針が挿入されるインク導出部７２ｆと、インク導出部７２ｆより大径の位置決め部７２ｅと、インク袋（不図示）と連結部７２ｇとから構成されている。
【０００６】
図４４に示される、インク導出部材７２の横方向径ｙは図４５に示される下筐体６２Ｂ側の固定部の横方向径ｘよりも大径となっており、上筐体６２Ａと下筐体６２Ｂを組み上げる際、インク導出部材７２が横方向からのみ押圧力または主として横方向からの押圧力を受けて圧縮され図４６のように組みあがる。
【０００７】
なお、大径の位置決め部７２ｅによって、筐体６２Ａ、６２Ｂに対してインク導出部材７２を規定の位置に装着し、移動することを防止している。
【０００８】
また交換型液体収納容器の従来例２として、図４７および図４８に示す形態のインクジェット記録装置用インクタンクが知られている。図４７は、そのインクタンクの詳細を説明するため、その側面を断面で示した図である。図４８は、図４７で示したインクタンク内外を連通させる接続部の栓を説明する断面図である。
【０００９】
図４７および図４８に示すように、インクタンク１００は、インク貯蔵室１０１と廃インク貯蔵室１０２とからなる。インク貯蔵室１０１の端部にはインク供給針（不図示）を貫通させるためのゴム栓１０４が２ヶ所に設けられ、同様に廃インク貯蔵室１０２の端部にもゴム栓１０４が１ヶ所に設けられる。これらのゴム栓１０４は、接続部の一部を構成するもので、インク供給針が貫通するインク連通部１０３を除き、インクタンクのハウジング部１０５とゴム栓押さえ１０７とによって挟まれている。
【００１０】
廃インク貯蔵室１０２は、一端部で連通する２層の貯留部からなり、上記インク供給針が貫通する部位は下層の貯留部に対応して設けられる。すなわち、廃インク貯蔵室１０２には、インクジェット記録装置のインク供給路に接続されたインク供給針が貫通し、これにより吐出回復処理等で排出された廃インクが、廃インク貯蔵部１０２の下層部内に流入することができる。廃インク貯蔵部１０２の略全体には吸収体１０８が充填されており、下層部に流入した廃インクは下層部の吸収体１０８によって吸収される。廃インクの流入に従って、吸収体１０８のうち廃インクを保持する領域は除々に上層部の吸収体１０８にまで広がり、これと共に廃インクの一部は吸収体外へ滲み出す。一方、上層部の廃インク吸収体１０８の端部に隣接して隔壁１０２Ａが設けられており、これにより、廃インク量が吸収体の保持能力を超えないうちは上述の滲み出したインクは隔壁１０２Ａによって、その右側の吸収体の無い部分へ移動できない状態とされる。累積的に流入した廃インク量が吸収体の保持能力を越えて始めて、滲み出した廃インクは隔壁１０２Ａから溢れて右側の部屋に移り、その液位を高くして行き、所定の廃液検知電極（不図示）に触れるに至る。この結果、廃インク貯蔵室１０２が廃インクで満たされたことを検知でき、インクタンク１００の交換等を促すことが可能となる。また、廃インク貯蔵室１０２の後ろ端部上方には大気連通口１０９が設けられており、この大気連通口１０９を介して廃インク貯蔵部１０２の内部とインクタンク外部とが連通できる。
【００１１】
図４８で示すようにゴム栓１０４の外径はハウジング部１０５の内径より単体状態では大きく作られており、所定装置を使用してゴム栓１０４の径方向（図４８中、矢印Ａ方向）に沿って圧縮されてから、矢印Ｂ方向に沿ってハウジング部１０５の中に組みつけられている。
【００１２】
【発明が解決しようとする課題】
しかしながら、従来例１での図４４に示すように、インク導出部７２の内、位置決め部７２ｅは位置決めにのみ機能し、インク導出部７２ｆは圧縮され、連結部７２ｇはインク導出部７２ｆとインク袋との連結機能を提供すると開示されている。従って、インク導出部７２ｆのみが記録装置本体との接続に寄与している。
【００１３】
インク導出部７２ｆは液体収納容器の製造時に上筐体６２Ａと下筐体６２Ｂによって圧縮されるため、製造されてから使用後の廃却されるまでの間の期間において筒状部材が装着されていない場合でも、常に圧縮力がインク導出部７２ｆに加わる。また、弾性部材に筒状部材を装着した状態では、筒状部材が装着されていない場合の圧縮力に、更に筒状部材の体積分の圧縮力が加わる。
【００１４】
弾性部材は一般に圧縮力が大きいほど、また圧縮力を受ける時間が長いほど、クリープ（時間の経過と共に圧縮を開放した時に圧縮前の状態に戻らなくなる度合い、つまりひずみが大きくなる現象）が進行する。そのため、筒状部材を抜いた時、元の状態に復帰できなくなり、接続口からの液垂れが発生しやすい。
【００１５】
また、従来例２の液体収納容器およびインクジェット記録装置では、液体収納容器を記録装置本体へ装着する際、図４９に示すように記録装置本体の、液体収納容器１３０のインク連通部１２９に挿入されるインク供給針１２７の針径が太い場合、インク連通部の栓である弾性体１２８に対してインク供給針１２７を挿入した体積分が針挿入方向及び弾性体径方向に押しやられる（図４９（ａ））。その後、インク供給針１２７を弾性体１２８から抜くと、弾性体１２８が針挿入方向へ陥没するとともに、弾性体１２８の、針挿入開始部と反対側の部分がめくれてしまう（図４９（ｂ））。この事により、インク供給針１２７と弾性体１２８とが接してインクを遮断できる面積が少なくなり、インク供給口１３１よりインクが垂れ、取り外した容器周辺にある物をインクで汚染する恐れがある。また、液体収納容器を記録装置本体に再度装着した際にも同様に、インクを遮断できる面積が少なくなり、インク供給口１３１よりインクが垂れ、記録装置本体や容器周辺物をインクで汚染するおそれがある。
【００１６】
また、図５０は、液体収納容器のインク連通部のゴム栓を記録装置本体のインク供給針に複数回挿入したときに、ゴム栓に生じた裂け目の状態を示した平面図である。
【００１７】
従来の液体収納容器およびインクジェット記録装置では、液体収納容器を記録装置本体へ装着する際、記録装置本体のインク供給針自身がインクタンク供給口に設けられているゴム栓の弾性体１２８を切り裂いて侵入する。記録装置の使用者が何らかの理由で、複数回にわたって液体収納容器の脱着を繰り返した場合、図５０に示す裂け目１２８ａ〜１２８ｃのように挿入毎にランダムに弾性体１２８を切り裂き、弾性体１２８に損傷を与える。その結果、切り裂き同士がつながった場合、弾性体１２８を構成するゴム肉が切断され所定の圧力で弾性体１２８を圧縮できなかったり、最悪の場合には斜線部１２８ｄに示される、ゴム肉が脱落して穴が空く。特に、インクジェット記録装置本体に設けられたインク供給針の針径が太い場合、弾性体への切り裂き幅が大きくなり、インク供給口よりインクが垂れたり、記録装置への容器の脱着を繰り返したために、更に損傷が進行して弾性体に穴が空くことによりインクの流出が止まらなくなる。
【００１８】
こうした現象は、特に商業用の大判インクジェット記録装置の場合におこりやすく、その背景には大量のプリントを低価格で提供すべく夜間無人運転前に満タンのインクタンクと交換してからプリントジョブを実行することが一般的作業となっていることがあげられる。そして日中において、人手が空いている際には事前に交換して使いかけとなったインクタンクが再装着、再利用される。
【００１９】
そこで本発明の第１の目的は、筒状部材を挿通することで容器内外が連通する液体収納容器において、長期間にわたり放置されたり、長期間にわたって筒状部材が挿入された場合でも、液漏れの無い確実な接続および脱抜を実現できる液体収納容器を提供することである。
【００２０】
さらに本発明の第２の目的は、筒状部材を挿通することで容器内外が連通する液体収納容器において、筒状部材を挿通によるめくれを防止し、弾性体とインク供給針の間に接触面積を確保することで、液漏れの無い確実な接続および脱抜を実現できる液体収納容器を提供することである。
【００２１】
さらに本発明の第３の目的は、筒状部材を挿通することで容器内外が連通する液体収納容器において、筒状部材に対して液体収納容器を複数回接続しても、液漏れの無い確実な接続を実現できる液体収納容器を提供することである。
【００２３】
【課題を解決するための手段】
上記目的を達成するために本発明は、インクジェット記録装置に使用される液体収納容器であって、前記液体収納容器の液室に繋がり容器内外を接続する接続口と、
該接続口を塞ぐ弾性部材と、
前記弾性部材を収納するハウジングと、
前記液体収納容器の液室に繋がる接続口に対して、該ハウジング内に組み付けられた前記弾性部材を押圧し固定する固定部材と、
を有し、筒状部材を前記弾性部材を通して前記接続口に挿入することで容器内外が連通する液体収納容器において、
前記ハウジング内に組み付ける前の前記弾性部材は、前記筒状部材が挿入される側の面が凸形状、この逆側の面が凹形状、且つほぼ厚み一定のドーム形状であり、該ドーム形状部の前記凹形状側に突き出た柱状部を有する単一部品であり、さらに、前記筒状部材の進入側端から進入方向に向かう切れ込みを有し、前記切れ込みが、前記柱状部内に収まっており、
前記固定部材を用いて前記ハウジング内に組み付け固定された前記弾性部材は、前記ドーム形状部および前記柱状部が、前記筒状部材の挿入方向に対して、前記記ドーム形状部、前記柱状部の順番に並んでおり、かつ、前記柱状部が前記接続口内に位置し、
前記ドーム形状部は、前記ドーム形状部の前記凸形状側が前記固定部材によって押圧されることで前記ハウジングの側壁により前記弾性部材の中心方向へ圧縮されており、前記筒状部材が挿入された時、その圧縮力が高まる圧縮領域になっており、
前記柱状部は、前記筒状部材が挿入されていない状態では、前記接続口の側壁で圧縮されておらず、前記筒状部材が挿入されて始めて前記接続口の側壁により圧縮される実質的な非圧縮領域となっており、
前記筒状部材が挿入される方向において、前記筒状部材を挿入しない状態での、前記非圧縮領域よりも前記圧縮領域の方が長いことを特徴とする。
【００２４】
この構成により、非圧縮領域弾性部材の経年変化による弾性低下が、圧縮領域弾性部材と比較すると小さいものとなるので、圧縮領域弾性部材および非圧縮領域弾性部材に筒状部材を挿入した状態が長期間放置された場合、永久ひずみを生じて、筒状部材を抜いた時に元の状態に復帰できなくなる現象（クリープ現象）が非圧縮領域弾性部材では起きにくくなり、長期放置後に筒状部材を抜いた時でも、非圧縮領域弾性部材により、永久ひずみによる接続口のシール不能を防ぐことができる。また、非圧縮領域弾性部材を有することにより、筒状部材との接触面積の絶対量を増やすことができる。よって、液体収納容器内外の圧力変化に対しても接続口のシール性が向上する。
【００２８】
さらに、前記接続口に設けられ、前記弾性部材を収納するハウジングと、該ハウジングの内径と前記弾性部材の外径とは略同一寸法であり、固定部材により前記弾性部材の前記凸形状側を押圧することで、前記ハウジング内で前記弾性部材が前記弾性部材の中心方向へ圧縮され、前記弾性部材の柱形状部の外径が前記接続口よりも小さい径であることが好ましい。このように構成すると、弾性部材の柱形状部に筒状部材を挿入させたときのみ、柱形状部の内部に圧縮力が生じる構成となるので、弾性部材の柱形状部が、該弾性部材における常に圧縮状態の部位に比べて、経年変化による永久ひずみを起こしにくい。よって、弾性部材の筒状部材を装着したまま長期間放置した後に筒状部材を抜いても、接続口からの液垂れが発生しにくい。
【００２９】
さらに、前記弾性部材の前記凸形状側が、前記筒状部材が挿入する開口部を設けられた前記固定部材により押圧された状態で、前記弾性部材の前記固定部材に設けられた前記開口部内に前記弾性部材が押し出されていないことが好ましい。この場合、前記弾性部材の前記凸形状側の頂上部にすり鉢形状を設けたものや、前記弾性部材の前記凸形状側が、前記筒状部材が挿入する方向にほぼ直交する平面または一段くぼんだ平面であるものが好ましい。このような構成をとると、弾性部材に筒状部材を挿入したときに筒状部材に押し出される方向を弾性部材の径方向に限定することが可能となり、筒状部材の挿入による弾性部材の陥没をより一層防ぐことができる。
【００３１】
さらに、前記弾性部材が前記筒状部材の進入側端から進入方向に向かう切れ込みを有する構成をとると、針状筒の挿入の際に針状筒が切れ込みに沿って進入するため、常に一定の切り裂きで弾性部材を貫通させることができる。そのため、針状筒の挿入時における弾性部材の損傷の発生を防いで、接続口の密閉をより確実なものにすることができる。
【００３２】
また、前記弾性部材をドーム形状にすることによって、弾性部材を固定部材で押圧したときに、ハウジング内において弾性部材内部に弾性部材の中心方向へ圧縮された状態を容易に作り出すことができる。よって、弾性部材に筒状部材を挿通させたときの、弾性部材と筒状部材の密着力が向上し、接続口密閉の信頼性が高まる。また、前記ドーム形状部の前記凹形状側の柱形状は、前記筒状部材が挿入する方向に突き出ているために、弾性部材に筒状部材を挿入しても「めくれ」が発生しにくい構造になっているので、筒状部材の挿入による弾性部材の陥没を防ぐことができる。その結果、従来技術に比べ、筒状部材と弾性部材との接触面積を大きく保てる。さらに、前記弾性部材の前記筒状部材の進入方向に切れ込みを設けることにより、切れ込みにて筒状部材を案内して貫通させることができる。そのため、筒状部材の挿入時における弾性部材の損傷の発生を防いで、接続口の密閉をより確実なものとすることができる。
【００３３】
この場合、前記切れ込みが単一であることが好ましい。この構成により、弾性部材の一定個所で常に貫通させることが可能である。さらに、前記切れ込みが前記弾性部材を貫通していないことが好ましい。この構成をとると、容器製造から容器使用開始までの物流過程で激しい環境変化の中に置かれても接続口の密閉を保てるので、環境変化への対応幅が大きい。さらに、前記切り込みの、前記筒状部材の進入方向と直交する方向に関する長さＬが、前記筒状部材の直径Ｄに対して、２Ｌ＞πＤの関係にあるものが好ましい。この構成をとると、弾性部材に針状筒を切り込みに沿って貫通させたとき、切り込みが裂けて大きくなることが無い。
【００３８】
また、上記のような構成において、前記弾性部材を前記ハウジングに押圧し固定する固定部材を有し、該固定部材に液滴を吸収するための吸収体が取り付けられるとともに、前記接続口を中心とする放射状の溝が設けられ、該放射状の溝のうち少なくとも一つが前記切れ込みの方向に沿って設けられていることが好ましい。このように、溝の少なくとも一つを弾性部材の切り込み方向に合わせることにより、弾性部材表面の切り込みによる微細な溝と固定部材の溝とが繋ぎ合わさるので、弾性部材表面に付着した液滴（収納液がインクの場合はインク滴）を、より効果的に液滴を吸収体に導くことができる。
【００５２】
【発明の実施の形態】
次に、本発明の実施の形態について図面を参照して説明する。
【００５３】
但し、本発明の第一の目的である、長期間にわたり放置されたり、また長期間にわたって筒状部材が挿入された場合でも、液漏れの無い確実な接続および脱抜を実現できる液体収納容器に関する発明の具体的態様は第１の参考形態で述べる。
【００５４】
また、本発明の第二の目的である、筒状部材の挿入によるめくれを防ぎ、液漏れの無い確実な接続および脱抜を実現できる液体収納容器に関する発明の具体的態様は第２〜第３の参考形態で述べる。
【００５５】
また、本発明の第三の目的である、筒状部材に対して液体収納容器を複数回接続しても、液漏れの無い確実な接続を実現できる液体収納容器に関する発明の具体的態様は第４の参考形態および第１の実施形態で述べる。
【００５６】
本発明の本質はインクジェット記録装置と液体収納容器との接続部にあり、以下に説明する第１〜第４の参考形態および第１の実施形態のインクタンクに使用されるため、図１に示す本インク供給システムは全実施形態において共通である。
【００５７】
また、本インク供給システムの以外のインク供給システムであっても、接続針（筒状部材）と弾性部材による接続を用いるインク供給システムであれば、本発明は有効に機能する。
【００５８】
図１は、本発明の液体収納容器を使用するインクジェット記録装置におけるインク供給システムの例を示す模式図である。
【００５９】
図１に示すインク供給システムは、インク１を貯蔵する液体収納容器２と、インク１の液滴を記録媒体（不図示）に飛翔させ記録を行うインクジェットヘッド３と、液体収納容器２からインクジェットヘッド３へインク１を供給するチューブである液体供給管４と、液体収納容器２の底部２ａの第１の接続口５に挿入され、液体供給管４と液体収納容器２を連結する液体導出用接続針（筒状部材）７と、液体導出用接続針７からインクが供給された量だけ液体収納容器２内に空気を導入するための大気導入管８と、液体収納容器２の底部２ａの第２の接続口６に液体導出用接続針７とともに挿入され、大気導入管８と液体収納容器２を連結する大気導入用接続針（筒状部材）９とから構成される。接続針７，９は先端が針形状を持つ液体供給管である。
【００６０】
インクジェットヘッド３のインク吐出面（ノズル口形成面）３ａを液体収納容器２からの液体導出路の最下点より上方に位置させて、インクジェットヘッド３内の液路に負圧を与え、これによりインク吐出口に安定したメニスカスを形成している。
【００６１】
この液体供給システムでは、インクジェットヘッド３のインク吐出によって液体収納容器２内のインクが、液体導出用接続針７と液体供給管４を介してインクジェットヘッド３に導出される。このとき、液体収納容器２は内部に収納されたインク１の導出に対応して変形することがない筐体からなるので、インク導出量に見合う分だけの大気が大気導入管８と大気導入用接続針９を介して液体収納容器２内に入る。この事により、インクジェットヘッドに対し常に一定負圧でのインク供給が可能となる。なお、インク吐出は、吐出用液流路（ノズル）の吐出口近傍に配置した不図示の発熱素子の熱エネルギーまたは振動素子の振動エネルギーにより、ノズル内の液体を押し出すことにより行われ、吐出後にノズルの毛細管力により再びノズル内にインクを満たすサイクルが繰り返され、インクは液体収納容器２から随時吸い上げられる。
【００６２】
まず、本発明の第１〜第４の参考形態および第１の実施形態に共通の液体収納容器について図２および図３を参照して説明する。
【００６３】
図２は図１に示した液体収納容器の分解したそれぞれの構成部品を斜めから見た斜視図、図３は図１に示した液体収納容器の、図１の液体収納容器の中心を通る線で切った断面図である。
【００６４】
図２および図３に示すように第１〜第５の実施形態共通の液体収納容器はインク１、液体収納部１２、圧縮領域弾性部材１８、非圧縮領域弾性部材１９、固定部材１５、弾性部材収納部１７の構成部品からなる。
【００６５】
当然のことながら、圧縮領域弾性部材１８および非圧縮領域弾性部材１９は、いずれも弾性部材単品の状態では非圧縮状態にある。
【００６６】
図２に示すように、本実施形態の液体収納部１２は内部にインク１を直接収納する容器であり、液体導出用接続針７及び大気導入用接続針９（図１）と、液体収納部１２と弾性部材収納部１７で構成される内側空間とを圧縮領域弾性部材１８と非圧縮領域弾性部材１９を介して互いに連通させるための開口部１３が設けられている。
【００６７】
また液体収納部１２はダイレクトブロー成形やインジェクション成形により作られる。さらに、液体収納部１２は、容器内に収納する液量に応じて大小の容器を用意することができる。
【００６８】
液体収納部１２に設けられた開口部１３には弾性部材収納部１７が超音波溶着や接着などで接合される。弾性部材収納部１７には弾性部材を収納するための内部空間としてハウジング１７aが設けられ、圧縮領域弾性部材１８と非圧縮領域弾性部材１９がハウジング１７ａ内に収納される。
【００６９】
また、ハウジング１７ａに収納した圧縮領域弾性部材１８と非圧縮領域弾性部材１９が外れるのを防ぐために固定部材１５が弾性部材収納容器１７に超音波溶着や接着などで接合され、液体収納容器２を形成する。
【００７０】
このような部品からなる液体収納容器２の内部は、図３に示すように、例えばインクジェット記録装置で１つの色を記録するための１つのインク１を収納する密閉された液室１６が形成されている。液体収納容器２をインクジェット記録装置（図１参照）に装着した場合、液室１６は液体収納容器２の上側に位置する。さらに、液体収納容器１２の接続口１３には、弾性部材収納部１７が接合されている。弾性部材収納部１７には、液体導出用接続針７と大気導入用接続針９を液室１６に接続するための第１の接続口５と第２の接続口６が設けられている。第１の接続口５と第２の接続口６にはそれぞれ、栓としての圧縮領域弾性部材１８と非圧縮領域弾性部材１９が配設されている。接続針７，９が圧縮領域弾性部材１８と非圧縮領域弾性部材１９を貫通することで、液室１６が接続針７，９を介して容器外部と接続される。
【００７１】
（第１の参考形態）
次に、本発明の第１の参考形態について図２〜図９を参照して説明する。
【００７２】
この第１の参考形態で圧縮領域弾性部材１８は液体収納容器に組み込まれた時点で圧縮力を受ける弾性部材として、また、非圧縮領域弾性部材１９は組み込まれた時点では圧縮力を受けず、接続針（筒状部材）が挿入されて始めて圧縮力を受ける弾性部材の意として使用する。
【００７３】
また、本発明でいう非圧縮とはハウジング１７ａなど弾性体の外部からの作用によって生じる圧縮力が無い状態を示している。
【００７４】
図４は、図２に示した形状の圧縮領域弾性部材１８の外観を示し、図４(ａ)は圧縮領域弾性部材１８の外観を示す斜視図、図４（ｂ）は圧縮領域弾性部材１８の正面図、図４（ｃ）は圧縮領域弾性部材１８の側面図である。図５は、図２に示した形状の非圧縮領域弾性部材１９の外観を示し、図５(a)は非圧縮領域弾性部材１９の外観を示す斜視図、図５（ｂ）は非圧縮領域弾性部材１９の正面図、図５（ｃ）は非圧縮領域弾性部材１９の側面図である。
【００７５】
図６は図３で示した断面図の液体収納容器の接続口５，６に対して、圧縮領域弾性部材１８と非圧縮領域弾性部材１９組み付け前、図７は組み付けの途中、図８は固定部材１５を用いて、接続口５，６のハウジング内に弾性部材１２を収納し、組み付け完了の各状態を示す。
【００７６】
図９では接続針を挿入した図である。
【００７７】
これらの図では接続口５に対しての弾性部材の組み付けや接続針の挿入状態を示すが、この組み付けおよび挿入状態は接続口６も同じである。
【００７８】
第１の実施形態の特徴である、弾性部材収納容器１７の接続口５，６の栓である圧縮領域弾性部材１８と非圧縮領域弾性部材１９については、図４および図５に示すように、圧縮領域弾性部材１８と非圧縮領域弾性部材１９は概ね円柱形状をしている。組み込み前の圧縮領域弾性部材１８の直径は非圧縮領域弾性部材１９の直径より大きい。
【００７９】
さらに、図６〜図８を用いて、図２及び図３に示した液体収納容器の接続口５，６に対して、図４および図５に示した形状の圧縮領域弾性部材１８と非圧縮領域弾性部材１９を組み付けの様子を説明する。
【００８０】
図６において、符号１７ａはハウジングであり、液室１６に繋がる接続口５を塞ぐ圧縮領域弾性部材１８と非圧縮領域弾性部材１９を収める部分である。ハウジング１７ａの内径ｄ１と非圧縮領域弾性部材１９の外径ｗ２はほぼ同一寸法をなしている。
【００８１】
またそれに対して、圧縮領域弾性部材１８の外径ｗ１はハウジング１７ａの内径ｄ１よりも大きい寸法をなしている。この状態では圧縮領域弾性部材１８と非圧縮領域弾性部材１９に対して圧縮力は生じていない。
【００８２】
次いで、図７に示すように、弾性部材収納部１７のハウジング１７ａ内に非圧縮領域弾性部材１９を組み付けていく。ハウジング１７ａの内径ｄ１と非圧縮領域弾性部材１９の外径ｗ２はほぼ同一寸法をなしているため、非圧縮領域弾性部材１９に対して圧縮がかからない状態で収納される。
【００８３】
さらに弾性部材収納部１７のハウジング１７ａ内に圧縮領域弾性部材１８の組み込みを行うが、非圧縮領域弾性部材１９とは異なり、単体状態では圧縮領域弾性部材１８の外径ｗ１（図７中の２点鎖線）はハウジング１７aの内径ｄ１よりも大きい寸法をなしている。
【００８４】
そのため、そのままでは圧縮領域弾性部材１８はハウジング１７ａに収めることができない。そこで圧縮領域弾性部材１８の径方向（図７中、矢印Ａ方向）に沿って外径をハウジング１７ａの内径ｄ１と同じまた小さい寸法ｗ１’まで圧縮されて（図７中の実線）から、図７の矢印Ｂ方向に沿ってハウジング１７ａの中に組み付けられる。
【００８５】
その後、一旦収納した圧縮領域弾性部材１８と非圧縮領域弾性部材１９が外れないように、固定部材１５が弾性部材収納部１７に接合され図８の状態に至る。このとき、圧縮領域弾性部材１８の径方向に広がろうとする力（図８中、矢印Ａ方向）がハウジング１７ａで押さえ込まれる。そのため、圧縮領域弾性部材１８内では、図８中の矢印Ｂで示す、圧縮領域弾性部材１８の中心へ向かう圧縮応力が蓄積していく。
【００８６】
圧縮領域弾性部材１８および非圧縮領域弾性部材１９の外形形状（ハウジング１７ａと弾性部材との接合部形状）は弾性部材中心に圧縮力が集まりやすいことから、図４および図５に示すように円形が性能上最も望ましいが、図１０に示すように、所定の圧縮力が加わりさえすれば四角形など、円形以外の形状を採用することも可能である。
【００８７】
なお、図８に示した状態で、非圧縮領域弾性部材１９内には圧縮力は生じていない。一方、圧縮領域弾性部材１８には接続針が挿入されている時、されていない時に関わらず、圧縮されている。
【００８８】
次に、図９は圧縮領域弾性部材１８および非圧縮領域弾性部材１９に接続針７を貫通させた時の状態を示している。図８に示すとおり、接続針７を挿入する前から圧縮力が働いている圧縮領域弾性部材１８内では接続針７が挿入されることにより、接続針７の体積分上乗せされる形で圧縮力が高まる。
【００８９】
それに対して、非圧縮領域弾性部材１９内では接続部７が挿入されると、ハウジング１７ａの内径ｄ１とほぼ同一寸法である非圧縮領域弾性部材１９が、ハウジング１７ａの径方向に広がって、非圧縮領域弾性部材１９がハウジング１７ａから圧縮力を受けるように構成されている。そのため、接続針７が挿入された非圧縮領域弾性部材１９の圧縮力は接続針７の体積分のみの圧縮力のみ生じる。
【００９０】
この事により、非圧縮領域弾性部材１９に生じる圧縮力は、圧縮領域弾性部材１８に比較して小さくなっている。また非圧縮領域弾性部材１９内では、接続針７が挿入された時のみ圧縮応力が生じるため、製造された時より圧縮力が生じている圧縮領域弾性部材１８と比較して、廃棄されるまでの圧縮力が生じている時間が、圧縮領域弾性部材１８と比較して短い。
【００９１】
弾性体は一般に圧縮力が大きいほど、また圧縮力を生じる時間が長いほど、クリープ（時間の経過と共に圧縮を開放した時に圧縮前の状態に戻らなくなる度合い、つまりひずみが大きくなる現象）が進行する。本発明の構成では、非圧縮領域弾性部材１９の圧縮永久ひずみ量は、圧縮領域弾性部材１８と比較すると小さくなり、圧縮領域弾性部材１８および非圧縮領域弾性部材１９に接続針７を挿入した状態が長期間放置された場合、クリープが進行して、接続針７を抜いた時に元の状態に復帰できなくなる現象が非圧縮領域弾性部材１９では起きにくくなり、長期放置後に接続針７を抜いた時でも、非圧縮領域弾性部材１９が確実に閉じることにより、接続口５のシール性が不十分となってインク垂れをおこすことを防ぐことができる。
【００９２】
本発明の効果はお互いが離れて配置されていたり、圧縮領域弾性部材１８と非圧縮領域弾性部材１９間に空間の有り無しによらない。しかし、圧縮領域弾性部材１８と非圧縮領域弾性部材１９間に空間がある場合には内部の空気が環境変化によって膨張、収縮するため、圧縮領域弾性部材１８と非圧縮領域弾性部材１９に余分な圧力変化が生じるため、この第１の実施形態のように圧縮領域弾性部材１８と非圧縮領域弾性部材１９が接触している方が望ましい。
【００９３】
また、本発明の効果は圧縮領域弾性部材１８と非圧縮領域弾性部材１９が各々複数であったり、固定部材１５に設けられた開口部に対する配置や順序、組み合わせによらない。望ましくは、接続針が抜けていく側、すなわち液体収容側に非圧縮領域弾性部材１９が設けられている方が効果的であり。こうすることにより液体収容容器を取り外す早い段階で、弾性体の復元が始まり、最終的に接続針が抜けきる前にシールが完了するように作用する。
【００９４】
なお、図９に示した接続針挿入時の弾性部材の変化は、接続針９を第２の接続口６の弾性部材に挿入する場合でも同じである。
【００９５】
（第２の参考形態）
次に、本発明の第２の参考形態について図１１〜図１７を参照して説明する。ここでは、図１〜図３に示した部品と同様の構成要素には同一符号を用い、その説明は第１の参考形態に委ねることとする。
【００９６】
図１１は図１の液体収納容器の接続口に使用する、弾性部材の別形状について説明するための図であり、図１１（ａ）は弾性部材の外観を示す斜視図、図１１（ｂ）は正面図、図１１（ｃ）は側面図である。
【００９７】
図１２〜図１４に、図１１に示した形状の弾性部材４０を固定部材１５を用いて組み付けるときの様子を示す。図１２では組み込み前の状態、図１３では図１２の状態から弾性部材をハウジング内に収納するために弾性部材の中心に向かって圧縮した状態を示す図、図１４では弾性部材の組み込み完了を示す。
【００９８】
図１５では接続針を弾性部材に挿入し始めた状態を示した図であり、図１６は接続針の弾性部材への挿入を完了した図である。
【００９９】
図１１〜図１７では接続口５に対しての弾性部材の組み付けや接続針の挿入状態を示すが、この組み付けおよび挿入状態は接続口６も同じである。
【０１００】
本参考形態では図１１に示すように、弾性部材４２は概ね円柱形状で、弾性部材４２の１つ面が突き出て円柱形状部４２ａより小さい面積の柱形状（柱状部４２ｂ）が設けられている。
【０１０１】
図１２は弾性部材４２の組み付け前の状態を示し、ハウジング１７ａは液室１６に繋がる接続口５を塞ぐ弾性部材１２を収める部分である。円柱形状部４２ａの外径ｗ１はハウジング１７ａの内径ｄ１より大きい寸法をなしている。また、柱状部４２ｂの外径ｗ２はハウジング１７ｂの内径ｄ２より小さい。
【０１０２】
次いで、図１３に示すように、液体収納容器に弾性部材４２を組み付けていく過程を示す。上述した通り、円柱形状部４２ａの外径ｗ１はハウジング１７ａの内径ｄ１より大きい寸法をなしているため、そのままではハウジング１７ａ内に収納することができない。
【０１０３】
そこで、図１３に示す通り、円柱形状部４２ａに矢印Ａ方向に力を加えて、力を加える前には図中２点鎖線で表す形状だった、円柱形状部４２ａの外径ｗ１を図中の実線のようにハウジング１７ａの内径ｄ１と同じかそれより小さい径まで圧縮する（円柱形状部４２ａの圧縮後の外径ｗ１'）。そして、円柱形状部４２ａを矢印Ｂ方向に挿入してハウジング１７ａ内に収納する。
【０１０４】
その後、固定部材１５が弾性部材収納部１７に接合され図１４の状態に至る。このとき、円柱形状部４２aの径方向に広がろうとする力がハウジング１７ａで押さえ込まれる。そのため、円柱形状部４２ａ内では、図１４中の矢印で示す、円柱形状部４２ａの中心へ向かう圧縮応力が蓄積していく。
【０１０５】
ハウジング１７ａ内の円柱形状部４２ａの外形形状（ハウジングと弾性部材との接合部形状）は弾性部材中心に圧縮力が集まりやすいことから、図１１に示した円形が性能上最も望ましいが、図１７に示すように、所定の圧縮力が加わりさえすれば四角形など、円形以外の形状を採用することも可能である。
【０１０６】
図１５は接続針７の挿入途中での弾性部材４２の弾性変形の挙動を示している。図１５に示すとおり、比較的太い接続針７を弾性部材４２に挿入すると弾性部材４２が変形を起こすが、弾性部材４２には接続針７の挿入方向に柱状部４２ｂを有することにより、接続針７の挿入の際に、本来は柱状部４２ｂが無い場合に発生する肉のめくれる箇所に柱状部４２ｂの肉が既にあることと、柱状部４２ｂの肉の剛性により、柱状部４２ｂが無い場合と比較して、肉のめくれが発生しにくい構造になっているので、弾性部材４２の針挿入方向の陥没（図４９（ｂ）参照）を防ぐことができ、接続針７が完全に挿入された図１６の状態に至る。このため従来の技術に比べ、肉のめくれと陥没による、接続針７と弾性部材４２との接触面積の減少を防ぐことができる。
【０１０７】
また、柱状部４２ｂを有することにより、接続針７と弾性部材４２の接触面積の絶対量を増やすことができる。よって、液体収納容器内外の圧力変化に対しても接続口のシール性が向上する。
【０１０８】
従って、本発明の第二の目的である接続針７の挿入によるめくれを防ぎ、弾性部材４２と接続針７の接触面積を確保することで、液漏れのない確実な接続および脱抜を実現できる。
【０１０９】
第２の参考形態のその他の効果として以下に説明するように第１の参考形態と同様の効果が得られ、長期放置後に接続針７を抜いた時でも、接続口５のシール不良を防ぐことができる。図１４に示した状態で、円柱形状部４２aは圧縮されている。それに対して、柱状部４２ｂ内では、接続針７が挿入された時のみ圧縮応力が生じる。そのため、製造された時より圧縮力が生じている円柱形状部４２ａと比較して、廃棄されるまでの圧縮力が生じている時間が柱状部４２ｂは短い。
【０１１０】
また、図１６に示す通り、接続針７を挿入する前から圧縮力が働いている円柱形状部４２ａでは接続針７が挿入されることにより、接続針７の体積分上乗せされる形で圧縮力が高まる。
【０１１１】
それに対して、柱状部４２ｂでは接続針７が挿入されると、ハウジング１７ｂの内径ｄ２とほぼ同一寸法である、柱状部４２ｂがハウジング１７ａの径方向に広がろうとするものの、柱状部４２ｂがハウジング１７ｂの内壁により規制をうけ、圧縮力を生じるようになっている。すなわち、接続針７が挿入された柱状部４２ｂ内の圧縮力はほぼ接続針７の体積分のみの圧縮力のみ生じる。
【０１１２】
従って第１の参考形態と同様の効果が得られ、柱状部４２ｂの経年変化による弾性低下が、円柱形状部４２ａと比較すると小さい。これは、円柱形状部４２aおよび柱状部４２ｂに接続針７を挿入した状態が長期間放置された場合、クリープが進行して、接続針７を抜いた時に元の状態に復帰できなくなる現象が柱状部４２ｂでは起きにくくなり、長期放置後に接続針７を抜いた時でも、柱状部４２ｂにより、接続口５のシール不良を防ぐことができる。
【０１１３】
（第３の参考形態）
次に、本発明の第３の参考形態について図１８〜図２５を参照して説明する。ここでは、図１〜図３に示した部品と同様の構成要素には同一符号を用い、その説明は第１の参考形態に委ねることとする。
【０１１４】
図１８は図１の液体収納容器の接続口に使用する弾性部材の形状を説明するための図で、（ａ）は弾性部材の、接続針を差し込む側の面を斜め上から見た図、（ｂ）は弾性部材の、接続針を差し込む側と反対側の面を斜め上から見た図、（ｃ）は弾性部材の、接続針を差し込む側の面を真上から見た図、（ｄ）は弾性部材の側面図、（ｅ）は（ｃ）中のＡ方向から見た縦断面図である。
【０１１５】
図１８の（ａ）〜（ｅ）に示すように、弾性部材４３は概ね半球形状（ドーム形状）で、弾性部材４３の、接続針を差し込む側の面が突き出て湾曲形状（ドーム形状）をなし、この面の頂上にはすり鉢形状の部分（すり鉢部４３ａ）が設けられている。一方、弾性部材４３の、接続針を差し込む側と反対側の面がくぼんで湾曲形状をなし、この面の谷底には柱形状の部分（柱状部４３ｂ）が設けられている。
【０１１６】
図１９および図２０に、図２及び図３に示した液体収納容器の接続口５，６に対して、図１８に示した形状の弾性部材４３を固定部材１５を用いて組み付けるときの様子を示す。図１９では接続口５，６のハウジング内に弾性部材１２を収納した状態、図２０では図１９の状態から弾性部材を固定部材で押し込む状態、図２１では弾性部材の組み込み完了を示す。これらの図では接続口５に対しての弾性部材の組み付けを示すが、この組み付けは接続口６も同じである。
【０１１７】
図１９において、ハウジング１７ａは液室１６に繋がる接続口５を塞ぐ弾性部材４３を収める部分である。ハウジング１７ａの内径と弾性部材４３の外径はほぼ同一寸法をなしている。ここで、ハウジング１７ａの内径より弾性部材４３の外径のほうがやや小さい方が組み込みやすいが、逆にハウジング１７ａの内径より、弾性部材４３の外径が大きい場合でも、弾性部材４３の形状は力を加えることによって、容易に変化するため、極端に弾性部材４３の外径が大きくならない限り、特に問題にならない。また、弾性部材４３は単体では曲率をもったドーム形状を成している。
【０１１８】
次いで、図２０に示すように、液体収納容器に固定部材１５を組み付けていくと、弾性部材４３は固定部材１５により押圧される。このとき、弾性部材４３の突出したドーム状面上の稜線長がハウジング１７ａの内径よりも長いものであるので、弾性部材４３が固定部材１５の押圧部２３でハウジング１７ａの収納方向に押さえつける同時に、弾性部材４３のハウジング１７ａの径方向に広がろうとする力がハウジング１７ａで押さえ込まれる。そのため、弾性部材４３内では、図２０中の矢印で示す、弾性部材４３の中心へ向かう圧縮応力が蓄積していく。
【０１１９】
弾性部材４３の外形は弾性部材中心に圧縮力が集まりやすいことから、図１８に示すように円形が最も望ましいが、図２６に示すように、所定の圧縮力が加わりさえすれば四角形など、円形以外の形状を採用することも可能である。
【０１２０】
そして、図２１に示すようにハウジング１７ａに弾性部材４３の組み込みが完了すると、図２１中の矢印のように弾性部材４３のドーム形状であった部分のみ、ハウジング１７aと押圧部２３によって、弾性部材４３の中心に向かって圧縮された状態が作り出されている。このとき、弾性部材４３の柱状部４３ｂ内には圧縮力は生じていない。すなわち、接続口５の流路内径ｄより柱状部４３ｂの外径Ｗが小さい。
【０１２１】
ところで図２０のように、弾性部材４３の接続針７が侵入する面が、すり鉢部４３ａの形状ではなく、ドーム形状のままであったならば、ドーム形状の頂上部は固定部材１５に接触しておらず押圧できないため、図２２のように固定部材１５の開口部から弾性部材の肉がはみ出た状態となる。
【０１２２】
この図２２の状態で接続口５より弾性部材４３に接続針７が挿入されると、図中に斜線で示すはみ出し部４３ｄの体積分の弾性肉は径方向に移動できず、はみ出し部４３ｄの弾性肉を押し込めて挿入しなければならないため、弾性部材４３の針の挿入方向に肉がめくれやすい。
【０１２３】
そこで、図２０に示すように、弾性部材４３のドーム形状部の、固定部材１５の開口部に当たる部分に対して、すり鉢形状４３aを設けることにより、接続針７が押し込めてしまう部分における弾性部材の肉を最初から削除されているため、図２２のすり鉢形状４３ｄのような弾性部材の肉の盛り上がりはなく、図２１の４３eのように、ほぼフラットないしは、ややくぼみが残った状態となる。それにより、接続針７が挿入したときの、弾性肉の押し込めを防ぐことができる。
【０１２４】
また、図２２に示すように固定部材１５の開口部から弾性部材の肉をはみ出してしまう形状で無ければ、すり鉢形状でなくても程度の差はあるが発明の効果がある。そのため、弾性部材４３のドーム形状部の、固定部材１５の開口部に当たる部分は、ただ単純に固定部材１５と弾性部材４３との接触面ｅにてはみ出し部４３ｄを切断した平面であっても良い。
【０１２５】
図２１の状態で、接続口５より弾性部材４３のすり鉢部４３ａに接続針７が挿入されるが、図２３に示した状態の弾性部材４３のすり鉢部４３ａのテーパ角度（斜面の角度）と、接続針７の先端のテーパ角度αとをほぼ等しくすると、接続針７の先端に抵抗する構成物が無いため、接続針の挿入がスムーズになる。また、弾性部材４３の針の差込開始部分にすり鉢部４３ａを設けているため、接続針７に押し出される方向を弾性部材４３の径方向により多く導くことが可能となり、弾性部材４３の針の挿入方向に肉がめくれにくい。それ故、弾性部材４３の挿入方向の陥没が防げる。  図２４は接続針７の挿入途中での弾性部材４３の弾性変形の挙動を示している。図２４に示すとおり、比較的太い接続針７を弾性部材４３に挿入すると弾性部材４３が変形を起こすが、弾性部材４３には接続針７の挿入方向に接続口５よりも小さな径Ｗの柱状部４３ｂを有することにより、接続針７の挿入の際に柱状部４３ｂがハウジング１７aのd1径の領域に比べ、小さな径である接続口５内に支えられることで、肉のめくれが発生しにくい構造になっているので、弾性部材４３の針挿入方向の陥没（図４９（ｂ）参照）を防ぐことができる。このため従来の技術に比べ、肉のめくれと陥没による、接続針７と弾性部材４３との接触面積の減少を防ぐことができる。
【０１２６】
また、柱状部４３ｂを有することにより、接続針７との接触面積の絶対量を増やすことができる。よって、液体収納容器内外の圧力変化に対しても接続口のシール性が向上する。
【０１２７】
従って、本発明の第二の目的である接続針７の挿入によるめくれを防ぎ、弾性部材４２と接続針７の接触面積を確保することで、液漏れのない確実な接続および脱抜を実現できる。
【０１２８】
また第３の参考形態のその他の効果として以下に説明するように第１の参考形態と同様の効果が得られ、長期放置後に接続針７を抜いた時でも、接続口５のシール不良を防ぐことができる。図２１および図２２に示した状態では、弾性部材４３の柱状部４３ｂ内には圧縮力は生じていない。一方、弾性部材４３のドーム形状部は接続針が挿入されている時、されていない時に関わらず、圧縮されている。
【０１２９】
次に、図２５は弾性部材４３に接続針７を貫通させた時の状態を示している。図２５に示すとおり、接続針７を挿入する前から圧縮力が働いている弾性部材４３のドーム形状部内では接続針７が挿入されることにより、接続針７の体積分上乗せされる形で圧縮力が高まる。それに対して、柱状部４３ｂに接続部７が挿入されると、接続部５の内径より小さい柱状部４３ｂが接続口５の径方向に広がって、柱状部１２ｂが接続口５の内部に接合するように構成されている。そのため、接続針７が挿入された柱状部４３ｂの圧縮力は接続針７のほぼ体積分のみの圧縮力のみ生じる。
【０１３０】
この事により、弾性部材４３のドーム形状部に生じる圧縮力は柱状部４３ｂに生じる圧縮力より大きい。
【０１３１】
また柱状部４３ｂ内では、接続針７が挿入された時のみ圧縮応力が生じる。そのため、液体収納容器が製造された時より圧縮力が生じている弾性部材４３のドーム形状部は、液体収納容器が廃棄されるまで圧縮力が生じている時間が柱状部４３ｂと比較して長い。
【０１３２】
以上により第１の参考形態と同様の効果が機能し、柱状部４３ｂの経年変化による弾性低下が、ドーム形状部と比較すると小さい。これは、弾性部材４３に接続針７を挿入した状態が長期間放置された場合、クリープが進行して、接続針７を抜いた時に元の状態に復帰できなくなる現象が柱状部４３ｂでは起きにくくなり、長期放置後に接続針７を抜いた時でも、柱状部４３ｂにより、接続口５のシール不能を防ぐことができる。
【０１３３】
また、第３の参考形態の別の効果として、図２１等に示すように柱状部１２の突出端面をすり鉢形状部４３ｆにすることにより、引っかかり形状（主に、接続針に横穴等）を有した接続針７を弾性部材４３から抜く際、接続針７が引っかかって弾性部材４３が変形することを防止して、より確実に液室の接続口５を密閉することができる。
【０１３４】
さらに、弾性部材４３に図２７や図３２を用いて後述するようなスリットを切れ込み加工して常にスリット（切れ込み）にて接続針７を案内して貫通させることにより、接続針７の挿入時に発生する弾性部材４３の損傷を防いで、より確実に接続口５を密閉することができる。
【０１３５】
なお、図２３〜図２５に示した接続針挿入時の弾性部材の変化は、接続針９を接続口６の弾性部材に挿入する場合（図１）でも同じである。
【０１３６】
（第４の参考形態）
次に、本発明の第４の参考形態について図２７〜図３２を参照して説明する。ここでは、図１〜図３に示した部品と同様の構成要素には同一符号を用い、その説明は第１の参考形態に委ねることとする。
【０１３７】
また、第４の参考形態の弾性部材の外径形状およびハウジング１７ａとの関係、組み付け過程は第１の参考形態と同一である。
【０１３８】
図２７は図１の液体収納容器の接続口に使用する弾性部材の別の形状を説明するための図で、（ａ）は弾性部材の、接続針を差し込む側の面を斜め上から見た図、（ｂ）は弾性部材の、接続針を差し込む側の面を真上から見た図、（ｃ）は弾性部材の側面図、（ｃ）は（ｂ）中のＡ方向から見た縦断面図、（ｅ）は（ｂ）中のＢ方向から見た縦断面図である。
【０１３９】
図２７〜図３１は、図１に示した液体収納容器の接続口５，６に図２７に示した形状の弾性部材４４を組み付けた形態において、弾性部材４４に対し接続針７を挿入する過程を示している。特に図２７は接続口５の周辺を弾性部材４４のスリット４４ｃに沿った面で切断した断面図、図２７は接続口５の周辺を弾性部材４４のスリット４４ｃの面と直交する面で切断した断面図で、図２７中の矢印は接続針７が刺さる前のスリット４４ｃにかかる力を表す。
【０１４０】
図３０は接続針７の挿入途中での弾性部材４４の弾性変形の挙動を示している。また、図３１は接続針７が挿入し終わった状態を示す。
【０１４１】
図２７（ａ）〜（ｅ）に示すように、弾性部材４４は概ね円柱形状をなしている。そして、弾性部材４４の、接続針を差し込む側の面にスリット（切り込み）４４ｃが、弾性部材４４を貫通させずに切り込まれている。
【０１４２】
また、図２８及び図２９に示すように、固定部材１５はハウジング１７ａを覆うように接合され、弾性部材４４の径方向と略直交する方向に弾性部材４４を押すための押圧部２３を有している。ハウジング１７ａに弾性部材４４を組み込み、固定部材１５で固定した状態では、図２９中の矢印のように弾性部材４４の内部に、ハウジング１７ａと押圧部２３によって、弾性部材４４の中心に向かって圧縮された状態が作り出されている。
【０１４３】
図３０に示すとおり、接続針７がスリット１２ｃからずれて挿入されてきても、弾性部材４４の変形と弾性部材４４内部の径方向の圧縮とにより、接続針７に弾性部材４４が追従する。弾性部材４４が接続針７に追従する挙動により、スリット４４ｃの位置が移動し、接続針７がスリット４４ｃ内に導かれる。その後、図３１に示すようにスリット４４ｃを通って接続針７が弾性部材４４を貫通する。
【０１４４】
これにより、接続針７がランダムな位置から何回か挿入されても、常に一定の場所つまりスリット４４ｃから接続針７が貫通するので、弾性部材４４の損傷を防ぐことができる。さらに、弾性部材４４の損傷を防げるため、組み付けた弾性部材４４内部に常に径方向の圧縮を維持でき、弾性部材４４を接続針７が貫通しても接続針７を抜いた後の弾性部材４４のスリット４４ｃは元の状態に復帰して閉じられ、内容物であるインクの滲み出し等を防ぐことができる。
【０１４５】
なお、図２８〜図３１に示した接続針挿入時の弾性部材の変化は、接続針９を接続口６の弾性部材に挿入する場合でも同じである。
【０１４６】
組み付けた弾性部材４４のスリット４４ｃは前述のようにハウジング１７ａで常に圧縮されており、接続針７が抜かれている状態でも弾性部材４４内部の圧縮力で閉じているため、スリット４４ｃは弾性部材４４の針挿入方向に対して初めから貫通していても良い。
【０１４７】
さらに、接続針７がある程度までスリット４４ｃに進入すれば、弾性部材４４の一定箇所つまりスリット４４ｃで常に接続口５に導かれる。接続針７の貫通によって弾性部材４４に生じる切り裂きはスリット４４ｃに沿ってできるため、従来技術で述べたような弾性部材の損傷に至ることはない。
【０１４８】
以上述べてきた作用は、特に引き裂き性の悪い材質を用いた場合により効果的である。すなわち、ガスバリア性やインク接液性の面からよく用いられるゴム硬度40°以下の塩素化ブチルゴムの場合には接続針によって引き裂かれた界面は破断面となっており、界面が見かけ閉じていてもシール性が十分発揮されないケースがあったが、スリットを用いた構成ではこうした懸念はない。
【０１４９】
また、固定部材１５の開口部をガイドとして、接続針７の中心を弾性部材４４の中心から０．５Ｄ以内（針直径をＤとした場合）に導くように設定することで、弾性部材の損傷に至る可能性を更に低くすることができる。
【０１５０】
接続針７が一旦貫通してしまうと、切り込み刃等で弾性部材製造時にスリットを貫通させた場合と同じことになる。しかし、環境の変化により気温、気圧が変化するにしたがって液室の内圧が上昇する液体収納容器において、接続口のシール性（密閉性）が最も求められているのは、液体収納容器の製造後からインクジェット記録装置（図４３参照）のユーザーが使用するまでの物流過程であり、それ以降は一般の住環境の気圧変化と温度変化と考えてよいため、液体収納容器の記録装置への最初の装着時までスリット４４ｃを貫通させない方が環境変化への対応幅が大きい。
【０１５１】
また、弾性部材４４のスリット幅Ｌは、接続針７が弾性部材４４に貫通した場合でもスリット４４ｃの切り込みが進行することが無いように、接続針７の直径Ｄに対して、２Ｌ＞πＤの関係になるのが望ましい（図２８参照）。
【０１５２】
接続口５の針挿入口は、先端開口径Ｘが後端開口径Ｙより広く形成されたテーパ状開口であり、接続針７との位置ずれに対して確実に弾性部材１２のほぼ中央に案内するように構成されている。
【０１５３】
一般に接続針７は先端がテーパ形状をしており、接続針７の先端から直線部（外径Ｒの部分）に達するまでの距離Ｍが、接続口５の針挿入口の後端開口径Ｙの部分から弾性部材４４表面に達するまでの距離Ｎより短くする（図２８参照）ことにより、接続口５の後端開口径Ｙの部分に接続針７のテーパ形状部が未だ接している途中で接続針７の先端が弾性部材４４表面に達することを防止できる。その結果、弾性部材４４の中心位置に接続針７を導くことが可能となる。
【０１５４】
また、前述および後述する実施形態においても言えることだが、弾性部材４４と接続針７先端の材質によって、弾性部材４４と接続針７先端との摩擦が高い場合には、インクタンクの必要挿入力が高くなるため、非力なユーザーへの操作の簡便性が失われる。
【０１５５】
更に摩擦が高い場合には、所定の位置までインクタンクを装着することができなくなり、インクが供給されず、不要な印刷不良を引き起こす可能性がある。
【０１５６】
また最悪の場合、針先端が侵入動作に則して中心部分に呼び込まれず、そのままスリット４４ｃ以外の弾性部材の肉を引き裂いて、弾性部材の栓を破壊してしまう。
【０１５７】
そこで、弾性部材４４の表面に対して潤滑剤を塗布することで、摩擦を低減することにより、接続針７が弾性部材４４の表面上を滑り、スリット４４ｃに導かれることにより、上記問題を回避することができる。
【０１５８】
潤滑剤として、使用状態において液状の物として、シリコーンオイル、グリコール類から選択した物としてグリセリン、固体形態では液状シリコーン硬化物などが存在する。潤滑剤として、潤滑性以外に求められる要求因子として使用環境、特に温度、湿度等に対して潤滑剤自体が変質しにくい。塗布する部材または接触する部材に対してお互いを変質させない。容器内液体に対してお互いに影響を与えない。これらを満たす手段として本実施形態ではグリセリンを用いている。
【０１５９】
潤滑剤の塗布は組み込み後にすり鉢形状が充分に取れない場合やすり鉢形状そのものを実現できない場合に特に効果を発揮するが、充分にすり鉢形状が実現できる場合でも、針と弾性部材との間の摩擦力を低減できることに変わりなく、よりスムーズに挿入できる効果がある。
【０１６０】
また、スリット４４ｃは鋭利な刃を使用して加工を行う場合には、刃に潤滑剤を塗布することにより、弾性部材４４の表面およびスリット４４ｃに潤滑剤を塗布することができる。
【０１６１】
スリット４４ｃに潤滑剤を塗布することにより、スリット４４ｃ内に接続針７が挿入されている時の摩擦力を低減でき、より接続針７がスリット４４ｃ以外の弾性部材の肉を引き裂く可能性が低くなる。
【０１６２】
また、図２１、図２２の符号ａのように固定部材１５と弾性部材４３との接触面に潤滑剤を塗布することにより、弾性部材の組み込み時または接続針挿入時の肉の移動、接続針が抜かれる場合に対して、固定部材１５と弾性部材４３との接触面に対して発生する摩擦によって弾性部材の肉の移動を妨げるおそれを低減することが可能になる。さらに、図２１、図２２の符号ｂのように、弾性部材４３が組み込まれるハウジング１７ａに対して潤滑剤を塗布することで、弾性部材４３とハウジング１７ａとの摩擦を低減することにより、簡便に弾性部材４３を組み込むことが可能となる。
【０１６３】
（第１の実施形態）
次に、本発明の第１の実施形態について図３２〜図４１を参照して説明する。
【０１６４】
図３２の(ａ)は弾性部材の側面図、図３２の（ｂ）は弾性部材の下面図（接続針を差し込む側の反対側の面）、図３２の（ｃ）は弾性部材の、接続針を差し込む側の面を斜めから見た図、図３２の（ｄ）は弾性部材の、接続針を差し込む側の反対側の面を斜めから見た図である。図３３の（ａ）は弾性部材の下面図（接続針を差し込む側の反対側の面）であり、図３３の（ｂ）は図３３の（ａ）のＡ−Ａ切断面からみた断面図である。
【０１６５】
図３４〜図３６に、図３２、３３に示した形状の弾性部材４５を固定部材１５を用いて組み付けるときの様子を示す。図３４では接続口５，６のハウジング内に弾性部材４５を収納した状態、図３５では図３４の状態から弾性部材を固定部材で押し込む状態、図３６では弾性部材の組み込み完了を示す。これらの図では接続口５に対しての弾性部材の組み付けを示すが、この組み付けは接続口６も同じである。
【０１６６】
図３４において、符号１７aはハウジングを示し、これは、液室１６に繋がる接続口５を塞ぐ弾性部材１２を収める部分である。ハウジング１７ａの内径と弾性部材４５の外径はほぼ同一寸法をなしている。ここで、ハウジング１７ａの内径より弾性部材４５の外径のほうがやや小さい方が組み込みやすいが、逆にハウジング１７ａの内径より、弾性部材４５の外径が大きい場合でも、弾性部材４５の形状は力を加えることによって、容易に変化するため、極端に弾性部材４５の外径が大きくならない限り、特に問題にならない。また、図３２および図３３に示すように、弾性部材４５は単体では曲率をもったドーム形状を成している。
【０１６７】
次いで、図３５に示すように、液体収納容器に固定部材１５を組み付けていくと、弾性部材４５は固定部材１５により押圧される。
【０１６８】
このとき、弾性部材４５の突出したドーム状面上の稜線長がハウジング１７ａの内径よりも長いものであるので、弾性部材４５が固定部材１５の押圧部２３でハウジング１７ａの収納方向に押さえつけると同時に、弾性部材４５のハウジング１７ａの径方向に広がろうとする力がハウジング１７ａで押さえ込まれる。そのため、弾性部材４５内では、図３５中の矢印で示す、弾性部材４５の中心へ向かう圧縮応力が蓄積していく。
【０１６９】
このとき、圧縮応力は固定部材１５により弾性部材４５のどの位置を押圧しているかによって変化する。弾性部材が単純なドーム形状では固定部材１５の開口部と弾性部材４５のドーム形状部とリング状での接し押圧されるが、平面４５ｂの径が固定部材１５の開口径よりも大きい場合の方が、固定部材１５の平面と弾性部材４５の平面４５ｂとの接触面で圧縮応力を規定できるため、よりばらつきの少ない接点、ひいてはばらつきの少ない圧縮応力を実現できる。
【０１７０】
また図３２および図３３に示すとおり、弾性部材４５のドーム形状部４５ａにフラット部である平面４５ｂを設けることで、図２２の４３ｄに示すような弾性体の肉の盛り上がりを防止できると共に、接続針をスリットに呼び込むためのガイドとなるくぼみが得られる。（図２１の４３eと同様）
ただし、前述の第３の参考形態で示した、図１８に示すような明確なすり鉢部４３ａを弾性部材４３にあらかじめ設けてある形状に比べて、浅いすり鉢形状になるため、接続針７のテーパ角度αとの相関に留意する必要がある。
【０１７１】
図３６はハウジング１７ａに弾性部材４５の組み込まれた図で、図３４中の矢印のように弾性部材４５のドーム形状であった部分のみ、ハウジング１７ａと押圧部２３によって、弾性部材４５の中心に向かって圧縮された状態が作り出されている。
【０１７２】
図３７は接続針７の挿入途中での弾性部材４５の弾性変形の挙動を示している。図３７に示すとおり、比較的太い接続針７を弾性部材４５に挿入すると弾性部材４５が変形を起こすが、弾性部材４５には接続針７の挿入方向に柱状部４５ｄを有することにより、接続針７の挿入の際に、本来は柱状部４５ｄが無い場合に発生する肉のめくれる箇所に柱状部４５ｄの肉が既にあることと、柱状部４５ｄの肉の剛性により、柱状部４５ｄが無い場合と比較して、肉のめくれが発生しにくい構造になっているので、弾性部材４５の針挿入方向の陥没（図４９（ｂ）参照）を防ぐことができ、接続針７が完全に挿入された図３９の状態に至る。このため従来の技術に比べ、肉のめくれと陥没による、接続針７と弾性部材４５との接触面積の減少を防ぐことができる。また、柱状部４５ｄを有することにより、接続針７と弾性部材４５の接触面積の絶対量を増やすことができる。よって、液体収納容器内外の圧力変化に対しても接続口のシール性が向上する。
【０１７３】
また、ドーム頂上部に対して一段落ちた位置に平面４５ｂを設け、平面４５ｂに潤滑剤を塗布することにより、スタンプ方式などより簡便な塗布方法によって、潤滑剤を塗布することが可能となる。なお、本実施形態のようにドーム頂上部に対して一段落ちた位置ではなく単なる平面であっても、スタンプ方式などより簡便な塗布方法を採用できる。
【０１７４】
また、図３２に示すようにドーム頂上部に対して一段落ちた位置に平面４５ｂを設け、平面４５ｂに潤滑剤を塗布することにより、潤滑剤が接続口の他の部位に流れ出すのを防ぐことが可能となり、より低粘度の潤滑剤を使用することが可能となるなど、潤滑剤の選択範囲が広がる。
【０１７５】
また、図３３（ｃ）に示すように弾性部材４５のスリット幅Ｌは一定である必要は無いが、接続針７が弾性部材４５に貫通した場合でも切り込みが進行し、柱形状部４５ｄが分断されることが無いように、柱形状部４５ｄの外径をＤ２として接続針７の直径Ｄおよび柱形状部４５ｄの内部のスリット長Ｌに対して、Ｄ２＞２Ｌ/π＞Ｄの関係になるのが望ましい。
【０１７６】
また、以下はこれまで説明してきた実施形態にも同様に言えるが、製品構成上、固定部材１５の開口径を大きくとれない場合、図４０に示すように円弧状のスリット４５ｃを施すことで、２Ｌ＞πＤのスリットを設けることが可能となる。
【０１７７】
また同様の理由で、図４１に示すように複数のスリット４２ｃを交わらせることで、２Ｌ＞πＤのスリットを設けることが可能となる。しかし、液体収納容器の着脱を繰り返すと、最悪の場合、弾性部材の、複数のスリットが交わる部位の肉はその周辺の肉と切り離されてしまうため、弾性部材の陥没に対しての密閉性能は単一のスリットに劣る。そのため、図４１に示すように２つのスリットのうち片方のスリットを短くし、弾性部材の肉が切り離され孤立する長さを短くすることで、弾性部材の陥没による密閉性低下を防ぐことが望ましい。
【０１７８】
また、以上のようにやむなく、複数のスリットを設ける場合には接続針７の進入方向が規制できない以上、弾性部材の中心位置にて交わるのが望ましい。
【０１７９】
また、スリット幅が長すぎると、弾性部材のスリット交点部位の肉とその周辺の肉とが切り離されて、弾性部材の陥没に対しての密閉性能が落ちるので、１．５πＤ＞Ｌの関係であることが望ましい。
【０１８０】
また、図３８に示すように、固定部材１５の接続口５における、弾性部材４５側の径をなだらかに小さくすることで、接続針７が弾性部材４５に設けているスリット４５ｃに確実に呼び込まれる構成をとることが、より望ましい。
【０１８１】
なお、図３７〜図３９に示した接続針挿入時の弾性部材の変化は、接続針９を第２の接続口６の弾性部材に挿入する場合でも同じである。
【０１８２】
なお、以上説明してきた実施の形態では、ドーム形状部及びその凹部側に一体に柱形状部をもつ弾性部材は、液室１６側に柱状部４５ｄを設けた構成としている。
【０１８３】
しかしながら、接続針７の径が比較的細い場合には、接続針７の挿入開始側すなわち、固定部材１５側に柱状部４５ｂを構成としても、柱状部４５ｂを持たない弾性部材を用いた形態と比較して、本発明の作用を効果的に得ることができる。
【０１８４】
また、図２、図３、図１２〜１６には示していないが、図１９〜２５、図２８〜３１、図３４〜３９に示すように、固定部材１５は２つの固定部材からなり、第１の固定部材が弾性部材を押圧するようにハウジング１７ａに接合され、第２の固定部材が吸収体２４を覆うように第１の固定部材に接合されている。吸収体２４は固定部材１５における接続針７の接続口５の周りを囲むように設けられている。
【０１８５】
吸収体２４は接続針７，９から液体収納容器を取り外す時に生じる少量の液滴を吸収保持することにより、本形態の液体収納容器を用いたインクジェット記録装置のユーザー、記録装置自体、記録装置の使用周辺にある物を、容器取り外し時に生じる液滴（インク滴）によって汚染することを防ぐことが可能となる。
【０１８６】
また、上記のような吸収体を接続口に備える場合は図４２に示す形態をとるのが望ましい。図４２は本実施形態の液体収納容器の底部の接続口周辺を接続針の挿入方向から見た平面図である。また、図４２中のＤ−Ｄ’線に沿った断面は図２９及び図３６の断面図に相当する。
【０１８７】
本実施形態において上記のような吸収体を備える場合、図３８に示すように、固定部材１５に複数の溝２５を接続口５の中心より放射状に設けることにより、前述したように、液体収納容器を接続針から取り外す時に生じる少量の液滴（インク滴）を毛管力により吸収体に効率良く導くことが可能となり、インクジェット記録装置のユーザー、記録装置自体、記録装置の使用周辺にある物をインクの汚染から効果的に防ぐことが可能となる。
【０１８８】
そして、溝２５の少なくとも一つを、弾性部材４５のスリット４５ｃの切り込み方向に合わせることにより、弾性部材４５の表面に付着した液滴（インク滴）をスリット４５ｃ表面の微細な溝と固定部材１５の溝２５を繋ぎ合わせることによって、より効果的に液滴を吸収体に導くことができる。
【０１８９】
次に、上述した構成の液体収納容器に好適な液体供給システム（図１参照）を備えた記録装置について説明する。図４３は本発明の液体収納容器が適用される装置例としてインクジェット記録装置を示している。
【０１９０】
図４３に示すインクジェット記録装置は、インクジェットヘッド３の往復移動（主走査）と、一般記録紙、特殊紙、ＯＨＰフィルム等の記録用シートＳの所定ピッチごとの搬送（副走査）とを繰り返しつつ、これらの動きと同期させながらインクジェットヘッド３から選択的にインクを吐出させ、記録用シートＳに付着させることで、文字や記号、画像等を形成するシリアル型の記録装置である。
【０１９１】
図４３において、インクジェットヘッド３は、２本のガイドレール２６，２７に摺動自在に支持され不図示のモータ等の駆動手段によりガイドレール２６，２７に沿って往復移動されるキャリッジ２８に着脱可能に搭載されている。記録用シートＳは、搬送ローラ２９により、インクジェットヘッド３のインク吐出面に対面し、かつ、インク吐出面との距離を一定に維持するように、キャリッジ２８の移動方向と交差する方向（例えば、直交する方向である矢印Ａ方向）に搬送される。
【０１９２】
インクジェットヘッド３は、それぞれ異なる色のインクを吐出するための複数のノズル列を有する。インクジェットヘッド３から吐出されるインクの色に対応して、複数の独立したメインタンクである液体収納容器２が、インク供給ユニット３０に着脱可能に装着される。インク供給ユニット３０とインクジェットヘッド３とは、それぞれインクの色に対応した複数の液体供給管４によって接続され、液体収納容器２をインク供給ユニット３０に装着することで、液体収納容器２内に収納された各色のインクを、インクジェットヘッド３の各ノズル列に独立して供給することが可能となる。
【０１９３】
インクジェットヘッド３の往復移動範囲内で、かつ、記録用シートＳの通過範囲外の領域である非記録領域には、回復ユニット７が、インクジェットヘッド３のインク吐出面と対面するように配置されている。回復ユニット３２は、インクジェットヘッド３のインク吐出面をキャッピングするためのキャップ部、インク吐出口面をキャッピングした状態でインクジェットヘッド３から強制的にインクを吸引するための吸引機構、インク吐出面の汚れを払拭するためのクリーニングブレード等を有する。
【０１９４】
ここではシリアル型のインクジェット記録装置を例に挙げて説明したが、ノズル列が被記録媒体の幅方向全幅にわたって設けられたライン型のインクジェットヘッドを搭載するインクジェット記録装置にも、本発明は適用可能である。
【０１９５】
【発明の効果】
以上説明したように、本発明は、インクジェット記録装置に使用される液体収納容器であって、前記液体収納容器の液室に繋がり容器内外を接続する接続口と、該接続口を塞ぐ弾性部材と、該弾性部材を収納し、前記接続口を備えたハウジングと、前記液体収納容器の液室に繋がる接続口に対して、該ハウジング内に前記弾性部材を押圧し組み付ける固定部材と、を有し、前記弾性部材に筒状部材を挿通することで容器内外が連通する液体収納容器において、前記弾性部材は、前記固定部材によって前記ハウジング内に組み付けられた時、前記筒状部材を挿入しない状態で圧縮力を受ける圧縮領域と、前記ハウジング内に組み付けられた時、前記筒状部材を挿入しない状態では圧縮力を受けず、筒状部材が挿入されて始めて圧縮力を受ける実質的な非圧縮領域と、を有する単一部品であり、前記弾性部材の前記圧縮領域および前記非圧縮領域は、前記筒状部材の挿入方向に対して、前記圧縮領域、前記非圧縮領域の順番に並んでいる構成をとる。これにより、非圧縮領域弾性部材の経年変化による弾性低下が、圧縮領域弾性部材と比較すると小さいものとなるので、圧縮領域弾性部材および非圧縮領域弾性部材に筒状部材を挿入した状態が長期間放置された場合、永久ひずみを生じて、筒状部材を抜いた時に元の状態に復帰できなくなる現象（クリープ現象）が非圧縮領域弾性部材では起きにくくなり、長期放置後に筒状部材を抜いた時でも、非圧縮領域弾性部材により、永久ひずみによる接続口のシール不能を防ぐことができる。さらに、非圧縮領域弾性部材を有することにより、筒状部材との接触面積の絶対量を増やすことができる。よって、液体収納容器内外の圧力変化に対しても接続口のシール性が向上する。
【０１９６】
また、前記弾性部材において、前記筒状部材を挿入しない状態での、前記圧縮領域と前記非圧縮領域が単一部品である場合、前記弾性部材において、前記筒状部材が挿入する方向に直交する面形状において、対面する、どちらか一方の面が凸形状、逆側が凹形状、且つほぼ厚み一定であり、前記筒状部材を挿入しない状態での、前記非圧縮領域の形状が、前記凹形状側に突き出た柱形状であることにより、弾性部材内部に弾性部材の中心方向へ圧縮された状態を容易に作り出すことができる。さらに、前記柱形状を前記筒状部材を挿入する方向に突き出すことで、弾性部材に筒状部材を挿入しても「めくれ」が発生しにくい構造になっているので、筒状部材の挿入による弾性部材の陥没を防ぐことができる。その結果、従来技術に比べ、筒状部材と弾性部材との接触面積を大きく保てる。加えて、前記弾性部材の前記筒状部材の進入方向に切れ込みを設けることにより、切れ込みにて筒状部材を案内して貫通させることができる。そのため、筒状部材の挿入時における弾性部材の損傷の発生を防いで、接続口の密閉をより確実なものとすることができる。
【０１９８】
さらに、前記弾性部材の前記凸形状側の頂上部にすり鉢形状を設けたり、前記弾性部材の前記凸形状側を、前記筒状部材が挿入する方向にほぼ直交する平面または一段くぼんだ平面にすることにより、弾性部材に筒状部材を挿入したときに筒状部材に押し出される方向を弾性部材の径方向に限定することが可能となり、筒状部材の挿入による弾性部材の陥没をより一層防ぐことができる。
【０２００】
また、前記弾性部材が前記筒状部材の進入側端から進入方向に向かう切れ込みを有し、前記ハウジング内で前記弾性部材がハウジング内の中心方向へ圧縮されていることにより、針状筒の挿入の際に針状筒が切れ込みに沿って進入するため、常に一定の切り裂きで弾性部材を貫通させることができる。そのため、針状筒の挿入時における弾性部材の損傷の発生を防いで、接続口の密閉をより確実なものにすることができる。
【０２０１】
また、前記弾性部材をドーム形状にすることによって、弾性部材を固定部材で押圧したときに、ハウジング内において弾性部材内部に弾性部材の中心方向へ圧縮された状態を容易に作り出すことができる。よって、弾性部材に筒状部材を挿通させたときの、弾性部材と筒状部材の密着力が向上し、接続口密閉の信頼性が高まる。また、前記ドーム形状部の前記凹形状側の柱形状は、前記筒状部材が挿入する方向に突き出ているために、弾性部材に筒状部材を挿入しても「めくれ」が発生しにくい構造になっているので、筒状部材の挿入による弾性部材の陥没を防ぐことができる。その結果、従来技術に比べ、筒状部材と弾性部材との接触面積を大きく保てる。さらに、前記弾性部材の前記筒状部材の進入方向に切れ込みを設けることにより、切れ込みにて筒状部材を案内して貫通させることができる。そのため、筒状部材の挿入時における弾性部材の損傷の発生を防いで、接続口の密閉をより確実なものとすることができる。
【０２０２】
さらに、前記切れ込みを単一にすることにより、弾性部材の一定個所で常に貫通させることが可能である。また、前記切れ込みが前記弾性部材を貫通していない構成をとると、容器製造から容器使用開始までの物流過程で激しい環境変化の中に置かれても接続口の密閉を保てるので、環境変化への対応幅が大きい。さらに、前記切り込みの、前記筒状部材の進入方向と直交する方向に関する長さＬが、前記筒状部材の直径Ｄに対して、２Ｌ＞πＤの関係にあることにより、弾性部材に針状筒を切り込みに沿って貫通させたとき、切り込みが裂けて大きくなることが無い。
【０２１４】
また、上記発明の液体収納容器において、前記弾性部材を前記ハウジングに押圧し固定する固定部材を有し、該固定部材に液滴を吸収するための吸収体が取り付けられるとともに、前記接続口を中心とする放射状の溝を設け、該放射状の溝のうち少なくとも一つを前記切れ込みの方向に沿って設けることにより、弾性部材表面の切り込みによる微細な溝と固定部材の溝とが繋ぎ合わさるので、弾性部材表面に付着した液滴（収納液がインクの場合はインク滴）を、より効果的に液滴を吸収体に導くことができる。
【図面の簡単な説明】
【図１】本発明の液体収納容器を使用するインクジェット記録装置におけるインク供給システムの例を示す模式図である。
【図２】  本発明の第１の参考形態として、図１に示した液体収納容器の分解したそれぞれの構成部品を斜めから見た斜視図である。
【図３】  本発明の第１の参考形態として、図１に示した液体収納容器の、図１の液体収納容器の中心を通る線で切った断面図である。
【図４】図２に示した形状の圧縮領域弾性部材の外観を示し、(ａ)は圧縮領域弾性部材の外観を示す斜視図、（ｂ）は圧縮領域弾性部材の正面図、（ｃ）は圧縮領域弾性部材の側面図である。
【図５】図２に示した形状の非圧縮領域弾性部材の外観を示し、（ａ）は非圧縮領域弾性部材の外観を示す斜視図、（ｂ）は非圧縮領域弾性部材の正面図、（ｃ）は非圧縮領域弾性部材の側面図である。
【図６】図３で示した断面図の接続部分の各構成部品の組み込み前の状態を示した拡大図である。
【図７】図６から組み込み途中の状態を示した図である。
【図８】図６に示した液体収納容器において弾性部材を収納し、組み込み完了を示す図である。
【図９】図６に示した液体収納容器において接続針を挿入した図である。
【図１０】図４および図５に示した非圧縮領域弾性部材および圧縮領域弾性部材の変形例を示す図である。
【図１１】  本発明の第２の参考形態において図１の液体収納容器の接続口に使用する、弾性部材の別形状について説明するための図であり、（ａ）は弾性部材の外観を示す斜視図、（ｂ）は正面図、（ｃ）は側面図である。
【図１２】図１１に示した形状の弾性部材の組み付け前の状態を示す図である。
【図１３】図１２の状態から弾性部材をハウジング内に収納するために弾性部材の中心に向かって圧縮した状態を示す図である。
【図１４】図１１に示した形状の弾性部材の組み込み完了を示す図である。
【図１５】図１１に示した形状の弾性部材を組み込んだ液体収納容器において、接続針を弾性部材に挿入し始めた状態を示した図である。
【図１６】図１１に示した形状の弾性部材を組み込んだ液体収納容器において、接続針の弾性部材への挿入を完了した図である。
【図１７】図１１に示した形状の弾性部材の変形例を示す図である。
【図１８】  本発明の第３の参考形態として図１の液体収納容器の接続口に使用する弾性部材の形状を説明するための図で、（ａ）は弾性部材の、接続針を差し込む側の面を斜め上から見た図、（ｂ）は弾性部材の、接続針を差し込む側と反対側の面を斜め上から見た図、（ｃ）は弾性部材の、接続針を差し込む側の面を真上から見た図、（ｄ）は弾性部材の側面図、（ｅ）は（ｃ）中のＡ方向から見た縦断面図である。
【図１９】図２及び図３に示した液体収納容器の接続口のハウジング内に、図１８に示した形状の弾性部材を収納した状態を示す図である。
【図２０】図１９の状態から弾性部材を固定部材で押し込む状態を示す図である。
【図２１】図２及び図３に示した液体収納容器の接続口のハウジング内に、図１８に示した形状の弾性部材の組み込みを完了した状態を示す図である。
【図２２】図２及び図３に示した液体収納容器の接続口のハウジング内に、図１８に示した形状の弾性部材（但し、すり鉢部無し）の組み込みを完了した状態を示す図である。
【図２３】図２１に示した状態の弾性部材のすり鉢部のテーパ角度（斜面の角度）と、接続針の先端のテーパ角度との関係を説明するための図である。
【図２４】図１８に示した形状の弾性部材を用いた容器の場合の、接続針の挿入途中での弾性部材の弾性変形の挙動を示す図である。
【図２５】図１８に示した形状の弾性部材を用いた容器において、弾性部材に接続針を貫通させた時の状態を示す図である。
【図２６】図１８に示した弾性部材の別の形状を説明するための図である。
【図２７】  本発明の第４の参考形態として図１の液体収納容器の接続口に使用する弾性部材の別の形状を説明するための図で、（ａ）は弾性部材の、接続針を差し込む側の面を斜め上から見た図、（ｂ）は弾性部材の、接続針を差し込む側の面を真上から見た図、（ｃ）は弾性部材の側面図、（ｃ）は（ｂ）中のＡ方向から見た縦断面図、（ｅ）は（ｂ）中のＢ方向から見た縦断面図である。
【図２８】図１の液体収納容器の接続口に図２７に示した形状の弾性部材を組み付けた形態において、弾性部材に対し接続針を挿入する過程を示す図である。
【図２９】図１の液体収納容器の接続口に図２７に示した形状の弾性部材を組み付けた形態において、弾性部材に対し接続針を挿入する過程を示す図である。
【図３０】図１の液体収納容器の接続口に図２７に示した形状の弾性部材を組み付けた形態において、弾性部材に対し接続針を挿入する過程を示す図である。
【図３１】図１の液体収納容器の接続口に図２７に示した形状の弾性部材を組み付けた形態において、弾性部材に対し接続針を挿入する過程を示す図である。
【図３２】  本発明の第１の実施形態として図１の液体収納容器の接続口に使用する弾性部材の形状を示し、(ａ)は弾性部材の側面図、（ｂ）は弾性部材の下面図（接続針を差し込む側の反対側の面）、（ｃ）は弾性部材の、接続針を差し込む側の面を斜めから見た図、（ｄ）は弾性部材の、接続針を差し込む側の反対側の面を斜めから見た図である。
【図３３】図３２の弾性部材において、（ａ）は弾性部材の下面図（接続針を差し込む側の反対側の面）であり、（ｂ）は図（ａ）のＡ−Ａ切断面からみた断面図である。
【図３４】図３２、３３に示した形状の弾性部材を接続口のハウジング内に収納した状態を示す図である。
【図３５】図３４の状態から弾性部材を固定部材で押し込む状態を示す図である。
【図３６】図３２、３３に示した形状の弾性部材の組み込み完了を示す図である。
【図３７】図３２、３３に示した形状の弾性部材を用いた容器の場合の、接続針の挿入途中での弾性部材の弾性変形の挙動を示す図である。
【図３８】図３７の容器における固定部材の接続口の変形例を示す図である。
【図３９】図３２、３３に示した形状の弾性部材を用いた容器において、弾性部材に接続針を貫通させた時の状態を示す図である。
【図４０】図３２、３３に示した形状の弾性部材のスリットの変形例を示す図である。
【図４１】図３２、３３に示した形状の弾性部材のスリットの変形例を示す図である。
【図４２】図３２、３３に示した形状の弾性部材を備える液体収納容器の底部の接続口周辺の好ましい構造を接続針の挿入方向から見た平面図である。
【図４３】本発明の液体収納容器が適用される装置例としてインクジェット記録装置を示す模式図である。
【図４４】特開平５−１６２３３３号公報に開示された従来の交換型液体収納容器を説明するための図で、インク導出部材を示す斜視図である。
【図４５】図４４のインク導出部材を固定する部位を示す図である。
【図４６】図４４のインク導出部材を固定する部位を含む容器の要部断面図である。
【図４７】従来の交換型液体収納容器の一例の断面図である。
【図４８】図４７の容器内外を連通させるインク連通部のゴム栓の組み付けの様子を示す図である。
【図４９】図４７及び図４８に示したような従来構造の容器の接続口の課題を説明するための図である。
【図５０】図４７及び図４８に示したような従来構造の容器の接続口の課題を説明するための図である。
【符号の説明】
１    インク
２    液体収納容器
２ａ    底部
３    インクジェットヘッド
３ａ    インク吐出面
４    液体供給管
５    第１の接続口
６    第２の接続口
７    液体導出用接続針
８    大気導入管
９    大気導入用接続針
１２    液体収納部
１３    開口部
１５    固定部材
１６    液室
１７    弾性部材収納部
１７ａ、１７ｂ    ハウジング
１８    圧縮領域弾性部材
１９    非圧縮領域弾性部材
２３    押圧部
２４    吸収体
２５    溝
２６、２７    ガイドレール
２８    キャリッジ
２９    搬送ローラ
３０    インク供給ユニット
３２    回復ユニット
４２、４３、４４、４５    弾性部材
４２ａ    円柱形状部
４２ｂ、４３ｂ、４５ｄ    柱状部
４３ａ    すり鉢部
４３ｄ  はみ出し部
４３ｆ    すり鉢形状部
４４ｃ、４５ｃ    スリット
４５ａ    ドーム形状部
４５ｂ    平面
ｅ    接触面
【図１】
0003796439.tif 000002
【図２】
0003796439.tif 000003
【図３】
0003796439.tif 000004
【図４】
0003796439.tif 000005
【図５】
0003796439.tif 000006
【図６】
0003796439.tif 000007
【図７】
0003796439.tif 000008
【図８】
0003796439.tif 000009
【図９】
0003796439.tif 000010
【図１０】
0003796439.tif 000011
【図１１】
0003796439.tif 000012
【図１２】
0003796439.tif 000013
【図１３】
0003796439.tif 000014
【図１４】
0003796439.tif 000015
【図１５】
0003796439.tif 000016
【図１６】
0003796439.tif 000017
【図１７】
0003796439.tif 000018
【図１８】
0003796439.tif 000019
【図１９】
0003796439.tif 000020
【図２０】
0003796439.tif 000021
【図２１】
0003796439.tif 000022
【図２２】
0003796439.tif 000023
【図２３】
0003796439.tif 000024
【図２４】
0003796439.tif 000025
【図２５】
0003796439.tif 000026
【図２６】
0003796439.tif 000027
【図２７】
0003796439.tif 000028
【図２８】
0003796439.tif 000029
【図２９】
0003796439.tif 000030
【図３０】
0003796439.tif 000031
【図３１】
0003796439.tif 000032
【図３２】
0003796439.tif 000033
【図３３】
0003796439.tif 000034
【図３４】
0003796439.tif 000035
【図３５】
0003796439.tif 000036
【図３６】
0003796439.tif 000037
【図３７】
0003796439.tif 000038
【図３８】
0003796439.tif 000039
【図３９】
0003796439.tif 000040
【図４０】
0003796439.tif 000041
【図４１】
0003796439.tif 000042
【図４２】
0003796439.tif 000043
【図４３】
0003796439.tif 000044
【図４４】
0003796439.tif 000045
【図４５】
0003796439.tif 000046
【図４６】
0003796439.tif 000047
【図４７】
0003796439.tif 000048
【図４８】
0003796439.tif 000049
【図４９】
0003796439.tif 000050
【図５０】
0003796439.tif 000051